(57)【要約】      （修正有）【課題】畑で育つ農作物の周囲を簡便に覆う農業用トンネル資材を提供する。【解決手段】長い横線１２と短い縦線１４を組み合わせて成形した、横長格子状の枠組１６と、縦線１４を湾曲させて枠組１６がトンネル状に形作られた状態で、その全体を覆う被覆材２０とを備え、縦線１４は、湾曲される部分１８が他の部分と比べて軟化処理されている。縦線１４の湾曲される部分１８が曲げやすく軟化処理されているので、容易にトンネル状に形作ることができる。また、重ねて収納できるので、スペースを取らない。  【選択図】図１
0003190596.tif 000002
【実用新案登録請求の範囲】
【請求項１】
畑で育つ農作物の周囲を覆うためのものであって、
長い横線と短い縦線を組み合わせて成形した、横長格子状の枠組と、
上記縦線を湾曲させて上記枠組がトンネル状に形作られた状態で、その全体を覆う被覆材とを備え、
上記縦線は、湾曲される部分が他の部分と比べて軟化処理されていることを特徴とする農業用トンネル資材。
【請求項２】
上記縦線は鋼線であって、湾曲される部分がアニーリング処理により軟化されていることを特徴とする請求項１に記載の農業用トンネル資材。  
【考案の詳細な説明】
【技術分野】
【０００１】
本考案は、取り付け取り外し及び運搬と収納が容易な農業用のトンネル資材に関する。
【背景技術】
【０００２】
野菜栽培においてビニールトンネルは非常に有用な設備である。従来、様々な構造のビニールトンネルが開発されてきた（特許文献１）（特許文献２）（特許文献３）。
【先行技術文献】
【特許文献】
【０００３】
【特許文献１】特開２０１２−１４３１６５号公報
【特許文献２】特開２０１１−１６７１４６号公報
【特許文献３】特開２０００−３２４９６０号公報
【考案の概要】
【考案が解決しようとする課題】
【０００４】
既知の従来の技術には、次のような解決すべき課題があった。
ビニールトンネルを畑に固定する場合に、材料を畑で曲げて形を作り、これを覆うビニールなどを取り付ける作業が必要である。この作業は天候に左右されるなど手間がかかるため、よいとわかっていてもなかなか取り入れることができなかった。また、野菜等の取り入れが終わって、次のシーズンまで解体をして保存するが、大きな収納スペースを占めるという問題があった。
上記の課題を解決するために、本考案は次のような農業用トンネル資材を提供することを目的とする。
（１）簡単に組み立てられる。
（２）任意の形状に組み立てられる。
（３）運搬や収納が容易である。  
【課題を解決するための手段】
【０００５】
以下の構成はそれぞれ上記の課題を解決するための手段である。
【０００６】
＜構成１＞
畑で育つ農作物の周囲を覆うためのものであって、
長い横線と短い縦線を組み合わせて成形した、横長格子状の枠組と、
上記縦線を湾曲させて上記枠組がトンネル状に形作られた状態で、その全体を覆う被覆材とを備え、
上記縦線は、湾曲される部分が他の部分と比べて軟化処理されていることを特徴とする農業用トンネル資材。
【０００７】
＜構成２＞
上記縦線は鋼線であって、湾曲される部分がアニーリング処理により軟化されていることを特徴とする構成１に記載の農業用トンネル資材。  
【考案の効果】
【０００８】
＜構成１の効果＞
縦線の湾曲される部分が曲げやすく軟化処理されているので、容易にトンネル状に形作ることができる。また、収納できるので、スペースを取らない。
【図面の簡単な説明】
【０００９】
【図１】（ａ）は長い横線と短い縦線で構成した枠組の平面図、（ｂ）は被覆材の斜視図である。
【図２】（ａ）は枠組をトンネル状に成形した状態の側面図で、（ｂ）はその正面図である。
【図３】（ａ）はトンネルを高めに成形した状態の側面図で、（ｂ）はその正面図である。
【図４】（ａ）は高めのトンネルの固定方法を示し、（ｂ）は幅が広めのトンネルの固定方法を示す正面図である。
【図５】本考案の農業用トンネル資材１０を収納する状態の斜視図である。
【考案を実施するための形態】
【００１０】
以下、本考案の実施の形態を実施例毎に詳細に説明する。
【実施例１】
【００１１】
図１の（ａ）は長い横線と短い縦線で構成した枠組の平面図、（ｂ）は被覆材の斜視図である。図２の（ａ）は枠組をトンネル状に成形した状態の側面図で、（ｂ）はその正面図である。
これらの図に示した農業用トンネル資材１０は、畑で育つ農作物の周囲を覆うためのものである。枠組１６は、長い横線１２と短い縦線１４を組み合わせて、相互に溶接やクランプ等で固定し、全体として、横長格子状に成形したものである。
【００１２】
図１に示した枠組１６の縦線１４を湾曲させると、枠組１６がトンネル状に形作られる。その全体を被覆材２０（図１）で覆うと、ビニールハウスになる。
【００１３】
例えば、、横線１２や縦線１４は、鋼線により構成する。そして、縦線１４の湾曲される部分１８（図１）は、例えば、アニーリング処理によって、他の部分と比べて軟化処理されている。即ち、軟化処理部分１８は曲げやすく反発力も小さくしてある。従って、簡単に図２に示すような形状に組み立てることができる。なお、図２で、被覆材２０は破線により示した。
【００１４】
図３の（ａ）はトンネルを高めに成形した状態の側面図で、（ｂ）はその正面図である。
この図の枠組１６の縦線１４も、図１に示すように中央に軟化処理部分１８を備えている。この場合には、同じ長さの横線１２で背が高く幅の狭いビニールトンネルを形作ることができる。
【００１５】
図４の（ａ）は高めのトンネルの固定方法を示し、（ｂ）は幅が広めのトンネルの固定方法を示す正面図である。
上記のように、本考案の農業用トンネル資材１０は、その軟化処理部分１８の幅を異ならせることにより、容易に目的とする作物の形状や高さに対応させることができる。必要な形状にした後は、畑２４に杭２２を突き刺して枠組１６の各部を固定するとよい。
【００１６】
図５は、本考案の農業用トンネル資材１０を収納する状態の斜視図である。
収納するときには、枠組１６を固定する杭２２を抜く。その後枠組１６を畑２４から持ち上げて、何枚かずつ重ね合わせる。図のように、農業用トンネル資材１０を重ね合わせると、全体として小さいスペースに収納することができる。さらに、そのまま取り出して容易に再利用することができる。
【００１７】
即ち、鉄線等によって枠組１６をトンネル状に形作り、ビニール等の被覆材２０を貼り付けて、農作物の成長促進及び病虫害を防ぐことができる。トンネル状に曲げる縦線１４の中央部分は曲げ易い構造にする。曲がり難い鉄線の場合、曲げる部分のみを他の部分より軟質にしておき、作業が楽に行える。なお、被覆材２０として、ビニルシート、寒冷紗、不織布、織布、網等を使用することができる。
【００１８】
上記の農業用トンネル資材１０は、構造が簡単で、素材も安価なものを使用でき、大量に安く作ることができる。また、平面状の枠組１６だから、購入時は運び易く収納し易い。畑の近くの作業場まで運搬して現地でトンネル状に曲げて枠組１６を作る。作物の形状にあわせて、幅を狭くしたり広くしたりすることができる。
【００１９】
縦線１４の曲げる部分だけを予め焼鈍をして曲げ易いように加工しておき、他の部分は硬く弾力のあるように加工して、枠組１６の強度を保つようにする。実際に、全体が同じ堅さの場合、数メートルの長さのトンネルを一様に形作るのは容易でない。曲げるべき部分のみを軟化処理しておくと、簡単に形作ることができる。以上により、現場で容易にビニールトンネルを作ることができる。もちろん、工場で曲げ加工してから出荷してもよい。
【００２０】
本考案の農業用トンネル資材１０の利点を整理すると以下のようになる。
（１）従来のビニールトンネルに比べて手軽に設置できる。小型にすればベランダなどでも使用できる。
（２）ビニールトンネルは作物を寒さから守り生長を促すことが主な目的であるがトンネルの被覆材を変える事によって保温のほか、防虫、防鳥、遮光、農薬の漂着防止などに使用する事ができる。例えば、狭い畑で色々な作物を栽培した場合、近くで農薬散布をする時、ビニールトンネルを被せれば、付着を防ぐ事ができる。
（３）本トンネルの構造は曲げる部分を作物や畝巾に合わせて作ることができる。
作物の丈が高い場合は高く作り、低い作物は低く巾広く作ることができる資材である。
従来の資材は円弧状にしか曲げることができなかった。
（４）従来のトンネルは風によって移動しないように資材を多数使って止める必要があったが本トンネルは紐と杭で容易に止めることができる。
（５）流通時運び易いように平面形として運び、畑又は畑の近い作業場でトンネル状に作って使用する。使い終ったら邪魔にならないように積み重ねて収納することができる。
（６）取り付け取り外し収納が簡単なため何回でも何年でも使用でき経済的である。
（７）農閑期に必要数をトンネル状に作っておけば素早く取り付けることができる。
【符号の説明】
【００２１】
１０  農業用トンネル資材
１２  横線
１４  縦線
１６  枠組
１８  軟化処理部分
２０  被覆材
２２  杭
２４  畑
【図１】
0003190596.tif 000003
【図２】
0003190596.tif 000004
【図３】
0003190596.tif 000005
【図４】
0003190596.tif 000006
【図５】
0003190596.tif 000007